(57)【要約】【課題】  各包装工程におけるグリップ幅の微調整を自在に行うことができ、構造も簡素かつ軽量で装置をよりコンパクト化することができ、さらに、温度等環境の影響も受けることがなく、熟練者による調整も不要で操作性に優れ、生産性の向上にも資することができるグリップ幅調整装置およびそれを備えた包装機を提供する。【解決手段】本発明のグリップ幅調整装置１は、グリップｇ１，ｇ２を有しベース２に回動可能に取り付けられてグリップ幅を調整可能な一対のグリップホルダー３ａ，３ｂと、一対のグリップホルダー３ａ，３ｂを同時に回動させる往復動部４と、往復動部４を往復動するための駆動機構５とを備え、駆動機構５は、減速機構６と位置制御モーター７を有している。【選択図】図１
2015196537.tif 000002
【特許請求の範囲】
【請求項１】
先端側に開閉可能なグリップを有しベースにそれぞれ回動可能に取り付けられてグリップ幅を調整可能な一対のグリップホルダーと、該一対のグリップホルダーの後端側に取り付けられ往復動により前記一対のグリップホルダーを同時に回動させる往復動部と、該往復動部を往復動するための駆動機構とを備え、該駆動機構は、前記往復動部が取り付けられた減速機構と、該減速機構を回動するための位置制御モーターを有していることを特徴とするグリップ幅調整装置。
【請求項２】
前記グリップ幅調整装置の前記駆動機構は、カバー部材により被包されている請求項１に記載のグリップ幅調整装置。
【請求項３】
前記請求項１または２に記載の前記グリップ幅調整装置を備えていることを特徴とする包装機。
【発明の詳細な説明】
【技術分野】
【０００１】
本発明は、包装袋の袋口付近の両側端を把持するグリップ対の離間距離（グリップ幅）を調整するためのグリップ幅調整装置およびそれを備えた包装機に関するものである。
【背景技術】
【０００２】
従来より、包装機において包装袋の袋口付近の両側端をグリップ対で把持した状態で、給袋工程、袋開口工程、充填工程、移送工程、振動工程、シール工程および排出工程などを経て被包装物を包装袋内に充填し製品化することが行われている。
【０００３】
上記各包装工程の中では、グリップ対の離間距離（グリップ幅）を調整することが必要となる。例えば給袋工程では、包装袋の大きさに応じてグリップ幅を調整する。袋開口工程では、袋口を開口する際に袋サイズに応じた最適な幅にグリップ幅を狭くする。充填工程では、被包装物を包装袋内に充填するために漏斗を包装袋内に挿入するが、漏斗を入り易くするために袋サイズに応じた最適な幅にグリップ幅を狭くする。移送工程では、袋口の開口が大き過ぎると周囲の装置の配置が制限され、逆に袋口の開口が小さ過ぎると被包装物が溢れてしまうため、グリップ幅を最適な幅に調整する。振動工程では、グリップ幅を微妙に変動させることにより被包装物に振動を与えて包装袋内に被包装物を沈ませる。シール工程では、グリップ幅を拡げることで袋口を閉じるが、被包装物が充填されるとその重みで包装袋が重力方向に引っ張られるため、給袋時のグリップ幅で包装袋を把持しても縦縞が形成されてシール不良を起こすことがある一方、グリップ幅を拡げすぎると強すぎて横縞が形成され開口端が倒れ込みシール不良を起こす。このため、シール時のクリップ幅は、包装袋の包材やサイズ、被包装物の重量や形状等によって極めて微妙な調整が求められる。
【０００４】
このように、包装機においてはグリップ幅の調整は極めて重要であり、各工程によっても異なる調整が求められるものであるが、従来のグリップ幅調整装置８０は、図１２に示すように、２つのシリンダー８１，８２を連結しシリンダー８１，８２の押し引きによってグリップ幅を変更する機構であった。この機構はシリンダーの位置とストロークを調整することでグリップ幅を手動で調整可能に構成されているが、シリンダー２つの連結ではグリップ幅の調整は最大４パターンしかなく自由度や自在性がなかった。また、シリンダーはエアー機器であるため、速度調整はスピードコントローラーで行うため、目測での調整しかできず、熟練者によらなければ調整が困難であった。さらに、シリンダーは温度によって動作が影響を受けやすく、シリンダーが劣化するにつれて次第に動作が不安定になるという問題があった。さらに、構造が複雑となって調整や清掃が困難であった。
【先行技術文献】
【特許文献】
【０００５】
【特許文献１】特開２０１２−２４０７１０号公報
【発明の概要】
【発明が解決しようとする課題】
【０００６】
そこで、本発明の課題は、各包装工程におけるグリップ幅の微調整を自在に行うことができ、構造も簡素かつ軽量で装置をよりコンパクト化することができ、温度等環境の影響も受けることも少なく、熟練者による調整も不要で操作性に優れ、生産性の向上にも資することができるグリップ幅調整装置およびそれを備えた包装機を提供することにある。
【課題を解決するための手段】
【０００７】
上記課題を達成するものは、先端側に開閉可能なグリップを有しベースにそれぞれ回動可能に取り付けられてグリップ幅を調整可能な一対のグリップホルダーと、該一対のグリップホルダーの後端側に取り付けられ往復動により前記一対のグリップホルダーを同時に回動させる往復動部と、該往復動部を往復動するための駆動機構とを備え、該駆動機構は、前記往復動部が取り付けられた減速機構と、該減速機構を回動するための位置制御モーターを有していることを特徴とするグリップ幅調整装置である。前記グリップ幅調整装置の前記駆動機構は、カバー部材により被包されていることが好ましい。
【０００８】
また、上記課題を達成するものは、先端側に開閉可能なグリップを有しベースにそれぞれ回動可能に取り付けられてグリップ幅を調整可能な一対のグリップホルダーと、該一対のグリップホルダーの後端側に取り付けられ往復動により前記一対のグリップホルダーを同時に回動させる往復動部と、該往復動部を往復動するための駆動機構とを備え、該駆動機構は、前記往復動部が取り付けられた減速機構と、該減速機構を回動するための位置制御モーターを有していることを特徴とするグリップ幅調整装置を備えた包装機である。前記駆動機構は、カバー部材により被包されていることが好ましい。
【発明の効果】
【０００９】
請求項１に記載のグリップ幅調整装置によれば、各包装工程におけるグリップ幅の微調整を自在に行うことができ、構造も簡素かつ軽量で装置をよりコンパクト化することができ、さらに、温度等環境の影響も受けることがなく、熟練者による調整も不要で操作性に優れ、生産性の向上にも資することができる。
請求項２に記載のグリップ幅調整装置によれば、上記請求項１の効果に加え、駆動機構に粉などが付着して動作不良を起こすことを防止できると共に、清掃を容易および清掃時間を短縮でき、グリップ幅調整装置をより衛生的にすることができる。
請求項３に記載の包装機によれば、各包装工程におけるグリップ幅の微調整を自在に行うことができ、構造も簡素かつ軽量で装置をよりコンパクト化することができ、さらに、温度等環境の影響も受けることがなく、熟練者による調整も不要で操作性に優れ、生産性の向上にも資することができる。また、駆動機構に粉などが付着して動作不良を起こすことを防止できると共に、清掃を容易および清掃時間を短縮でき、包装機をより衛生的にすることができる。
【図面の簡単な説明】
【００１０】
【図１】本発明のグリップ幅調整装置の一実施例を説明するための平面図である。
【図２】図１に示したグリップ幅調整装置の左側面図である。
【図３】本発明のグリップ幅調整装置を備えた包装機の一実施例の平面概略図である。
【図４】図３に示した包装機の正面図である。
【図５】図３に示した包装機の左側面図である。
【図６】図３に示した包装機のグリップ幅調整装置付近の側面図である。
【図７】図１に示したグリップ幅調整装置の給袋工程における作用を説明するための平面図である。
【図８】図１に示したグリップ幅調整装置の袋開口および充填工程における作用を説明するための平面図である。
【図９】図１に示したグリップ幅調整装置の振動工程における作用を説明するための平面図である。
【図１０】図１に示したグリップ幅調整装置の移送工程における作用および２組のグリップ幅調整装置の動作を説明するための平面図である。
【図１１】図１に示したグリップ幅調整装置のシール工程における作用を説明するための平面図である。
【図１２】従来のグリップ幅調整装置を説明するための平面図である。
【発明を実施するための形態】
【００１１】
本発明では、先端側に開閉可能なグリップｇ１，ｇ２を有しベース２にそれぞれ回動可能に取り付けられてグリップ幅を調整可能な一対のグリップホルダー３ａ，３ｂと、一対のグリップホルダー３ａ，３ｂの後端側に取り付けられ往復動により一対のグリップホルダー３ａ，３ｂを同時に回動させる往復動部４と、往復動部４を往復動するための駆動機構５とを備え、駆動機構５は、往復動部４が取り付けられた減速機構６と、減速機構６を回動するための位置制御モーター７を有していることで、各包装工程におけるグリップ幅の微調整を自在に行うことができ、構造も簡素かつ軽量で装置をよりコンパクト化することができ、さらに、温度等環境の影響も受けることも少なく、熟練者による調整も不要で操作性に優れ、生産性の向上にも資することができるグリップ幅調整装置およびそれを備えた包装機を実現した。
【実施例１】
【００１２】
本発明のグリップ幅調整装置を備えた包装機を図１から図１１に示した一実施例（包装機Ｐ）を用いて説明する。
この実施例の包装機Ｐは、図１または図２に示すような、先端側に開閉可能な一対のグリップｇ１，ｇ２を有しベース２にそれぞれ回動可能に取り付けられてグリップ幅を調整可能な一対のグリップホルダー３ａ，３ｂと、一対のグリップホルダー３ａ，３ｂの後端側に取り付けられ往復動により一対のグリップホルダー３ａ，３ｂを同時に回動させる往復動部４と、往復動部４を往復動するための駆動機構５とを備え、駆動機構５は、往復動部４が取り付けられた減速機構６と、減速機構６を回動するための位置制御モーター７を有しているグリップ幅調整装置１Ａ，１Ｂを備えている。
【００１３】
また、包装機Ｐは給袋自動包装機であり、図３ないし図５に示すように、包装袋ａを充填位置に待機するグリップ幅調整装置１Ａ，１Ｂの第１グリップｇ１または第２グリップｇ２に供給する給袋装置８と、袋口を上にして包装袋ａを吊り下げ状に支持する第１グリップｇ１または第２グリップｇ２を充填位置とシール位置との間で移動とする移送手段９と、第１グリップｇ１または第２グリップｇ２により支持された包装袋ａに所定量の被包装物を充填する充填手段１０と、被包装物が充填された包装袋ａの底部を押し上げもしくは袋の底部に振動を付与するように設けた底上げ装置２２と、被包装物が充填された包装袋ａの袋口付近をヒートシールするシール手段１２と、袋詰めされた製品を機外へ排出する排出手段２０を有している。以下、各構成について順次詳述する。
【００１４】
なお、この包装機Ｐは、被包装物として粉体、粒体若しくは固形物を対象とするものであり、内容量として４ｋｇ程度までの小袋から中袋に対する袋詰め作業を行なうものである。また、この実施例の包装機Ｐは、２組のグリップ幅調整装置１Ａ，１Ｂを、図１０に示した給袋側と排出側へ交互に弧状軌跡に沿って往復動させるタイプの包装機であるが、グリップ幅調整装置１をロータリー方式の包装機や直線移動方式の包装機に適用したものも本発明の範疇に包含される。
【００１５】
まず、包装機Ｐのグリップ幅調整装置１の各構成について順次詳述するが、２組のグリップ幅調整装置１Ａとグリップ幅調整装置１Ｂは同一構成であるため、図１または２に示したグリップ幅調整装置１Ａの構成について詳述し、グリップ幅調整装置１Ｂについては説明を省略する。
【００１６】
グリップホルダー３ａ，３ｂは、図１または図２に示すように、先端（図１中上側）側に開閉可能なグリップｇ１，ｇ２をそれぞれ備えている。グリップｇ１，ｇ２は、グリップホルダー３ａ，３ｂにそれぞれ取り付けられたグリップシリンダー３１，３２のロッドの伸縮により開閉可能に構成されており、この開閉動作により包装袋ａの袋口付近の両側端を把持できるように構成されている。
【００１７】
グリップホルダー３ａ，３ｂは、図１に示すように、平面視略Ｌ字型の形状に形成されており、この平面視略Ｌ字型のグリップホルダー３ａ，３ｂが略線対称の位置に配されて、それら中央の屈曲部付近はベース２に回動可能に取り付けられると共に、後端側はリンク３４により連接されている。そして、グリップホルダー３ａ，３ｂが回動することにより、先端側同士が図１に示すように接近または離間することでグリップ幅が調整可能に構成されている。
【００１８】
グリップホルダー３ａの後端側には、往復動部（ロッド）４の先端側（一端側）が取り付けられており、グリップホルダー３ａ，３ｂの後端側はリンク３４により連接されていることから、往復動部４の往復動により一対のグリップホルダー３ａ，３ｂを同時に回動させることができ、この動作によりグリップｇ１，ｇ２が内外に移動してグリップ幅が調整可能に構成されている。
【００１９】
往復動部４を往復動させるための駆動機構５は、往復動部４の後端側（他端側）が取り付けられた減速機構６と、減速機構６を回動するための位置制御モーター７を有している。
【００２０】
減速機構６は、ウォームギアで構成されており、ウォームホイール６ａの中心軸６ｂを中心として回動する駆動レバー６ｃに往復動部４の後端部（他端側）が取り付けられて、ウォームホイール６ａの回動によって往復動部４が往復動するように構成されている。
【００２１】
減速機構６のウォームホイール６ａを回動させるウォーム６ｄは、位置制御モーター７によって回動するように構成されている。具体的には、位置制御モーター７の回動軸７ａにモータープーリ３８が設けられ、受動側プーリ３９にタイミングベルト４０を介して回動が伝達されるように構成され、受動側プーリ３９の軸部４１にウォーム６ｄが取り付けられている。そして、これらの構成により、位置制御モーター７の回動が減速機構６に伝達され、その回動動作がウォームホイール６ａの中心軸６ｂを中心として回動する駆動レバー６ｃを介して往復動部４の往復動作に変換され、往復動部４の往復動により一対のグリップホルダー３ａ，３ｂが同時に回動し、これら一連の動作によりグリップｇ１，ｇ２が内外に移動してグリップ幅が自在に制御されるように構成されている。
【００２２】
このように、本発明の包装機Ｐは、上記構造のグリップ幅調整装置１Ａ，グリップ幅調整装置１Ｂを備えているため、各包装工程におけるグリップ幅の微調整を自在に行うことができ、構造も簡素かつ軽量で装置をよりコンパクト化することができ、さらに、温度等環境の影響も受けることも少なく、熟練者による調整も不要で操作性に優れ、生産性の向上にも資することができる。
【００２３】
なお、位置制御モーターとしては、サーボモーター、ステッピングモーター、ブラシレスモーターなどが好適に使用できるが、この実施例では、サーボモーターが使用されている。また、グリップ幅調整装置１Ａ，１Ｂの駆動機構５は、図２に示すように、カバー部材２１により被包されていることが好ましい。これにより、駆動機構５に粉などが付着して動作不良を起こすことを防止できると共に、清掃を容易および清掃時間を短縮でき、グリップ幅調整装置１をより衛生的にすることができる。さらに、各包装工程におけるグリップ幅調整装置１Ａまたはグリップ幅調整装置１Ｂの作用については後述する本発明の包装機Ｐの各包装工程における作用の中で詳述する。
【００２４】
給袋装置８は、図３に示すように平面視で、包装機Ｐの機台１４に対して所定の角度をもって斜め方向に付設された架台１５に設置されている。この給袋装置８は、ストッカー１３上に多数の包装袋ａが袋口側を前（図１中左上側）にして積載されるマガジン１６と、このマガジン１６に積載された包装袋ａを、充填位置に待機するグリップ幅調整装置１Ａまたはグリップ幅調整装置１Ｂの第１グリップｇ１および第２グリップｇ２に供給する袋供給部１８とから構成されている。
【００２５】
袋供給部１８は、所定位置まで送り込まれた包装袋ａを袋メクリレバー（図示せず）により受け渡し位置まで持ち上げ、これを図示しない供給アームの吸盤により吸着して充填位置に待機する第１グリップｇ１および第２グリップｇ２に直接供給し、または進退可能な挟着片（図示せず）を介して第１グリップｇ１および第２グリップｇ２に間接的に供給する公知構造にて構成されている。
【００２６】
充填位置には、グリップ幅調整装置１Ａまたはグリップ幅調整装置１Ｂの第１グリップｇ１および第２グリップｇ２により両側端を把持された包装袋ａに対して、包装袋ａの表裏面より、図示しない真空ポンプによる真空吸引作用によって吸盤（図示しない）を介して吸着・支持する袋開口手段（図示しない）が設けられている。
【００２７】
移送手段９は、図１０に示すように、充填位置（給袋側位置）とシール位置（排出側位置）との間を同一の回転軸１９を回転中心としてグリップ幅調整装置１Ａまたはグリップ幅調整装置１Ｂを揺動制御するものである。
【００２８】
具体的には、移送手段９は、図６または図１０に示すように、グリップ幅調整装置１Ａの第１グリップｇ１および第２グリップｇ２を、充填位置（給袋側位置）からシール位置（排出側位置）へ回転移動させ、シール位置（排出側位置）から所定距離だけ回転軸１９側へ後退させた退避位置へ移動させ、さらに、退避位置から充填側へ回転移動させて待機位置に移送し、待機位置から前方の元の充填位置（給袋側位置）に戻るループ軌跡運動を行なうように制御する。
【００２９】
また、移送手段９は、グリップ幅調整装置１Ａより下方位置にあるグリップ幅調整装置１Ｂの第１グリップｇ１および第２グリップｇ２を、退避位置から待機位置への回転移動と、待機位置から所定距離だけ前方へ移動した充填位置（給袋側位置）への移動と、充填位置（給袋側位置）からシール位置（排出側位置）への回転移動と、シール位置（排出側位置）からその後方（回転軸１９側）の退避位置に戻るループ軌跡運動を行なうように制御する。すなわち、移送手段９は、グリップ幅調整装置１Ａの第１グリップｇ１および第２グリップｇ２による上記ループ軌跡運動と、グリップ幅調整装置１Ｂの第１グリップｇ１および第２グリップｇ２による上記ループ軌跡運動を同期制御して、グリップ幅調整装置１Ａの第１グリップｇ１および第２グリップｇ２と、グリップ幅調整装置１Ｂの第１グリップｇ１および第２グリップｇ２を、交互に充填位置（給袋側位置）とシール位置（排出側位置）に位置させるように作用する。
【００３０】
充填手段１０は、図４に示すように、充填位置（給袋側位置）に配されており、グリップ幅調整装置１Ａまたはグリップ幅調整装置１Ｂの第１グリップｇ１および第２グリップｇ２により支持された包装袋ａの袋口内に、昇降制御された漏斗１１の下部放出口を挿入して包装袋ａ内に所定量の被包装物を充填し、充填終了後に漏斗１１を包装袋ａから抜去する一連の充填動作を行なうように構成されたものである。
【００３１】
充填手段１０には、一般的な計量装置が付帯して設置されており、この実施例の計量装置は、所定量（ここでは４ｋｇ程度）までの小麦粉などをホッパー（図示せず）から漏斗１１内に適時に放出するように構成されている。
【００３２】
底上げ装置は、充填位置（給袋側位置）及びシール位置（排出側位置）にそれぞれ設置されており、空圧シリンダー或いは電動モーターを駆動源とする昇降機構（図示せず）により上下方向に移動制御される受け板によって被包装物が充填された包装袋ａの底部を押し上げ、もしくは包装袋ａの底部に振動を付与するように構成されている。
【００３３】
シール手段１２は、図５に示すように、シール位置（排出側位置）に設置されており、所定温度に加熱保持された一対のシールバーによって被包装物が充填された包装袋ａの袋口より少し下方の部位にヒートシールを施す公知の構造に構成されている。
【００３４】
なお、包装袋ａのシール予定箇所に被包装物が付着した状態でヒートシールが施されると、シール不良を生じることがあるため、ヒートシールを施す前に、包装袋ａの袋口周辺をエアーブローすることにより内面に付着した被包装物を吹き飛ばす処理を必要に応じて採用してもよい。
【００３５】
排出手段２０は、図５に示すように、シール位置（排出側位置）の外方に設けられており、グリップ幅調整装置１Ａまたはグリップ幅調整装置１Ｂの第１グリップｇ１および第２グリップｇ２から解放された製品を機外へ排出するベルトコンベアにて構成されている。
【００３６】
つぎに、グリップ幅調整装置１Ａおよびグリップ幅調整装置１Ｂを備えた包装機Ｐの作用について工程順（給袋工程、袋開口工程、充填工程、底振動工程、移送工程、シール工程および排出工程）に順次説明する。
【００３７】
給袋工程では、給袋装置８により、ストッカー１３上に収められた包装袋ａをメクリレバー（図示せず）により持ち上げ、その持ち上げられた包装袋ａは供給アーム（図示せず）により受け取られて前方の充填位置（図１０の給袋側位置）まで移送された後、グリップ幅調整装置１Ａまたはグリップ幅調整装置１Ｂの第１グリップｇ１および第２グリップｇ２により支持される。この給袋工程では、図７（ａ）に示すように、包装袋ａが大きい場合は、グリップ幅（第１グリップｇ１と第２グリップｇ２との離間距離）を大きく調整し、図７（ｂ）に示すように、包装袋ａが小さい場合は、グリップ幅を小さく調整して、グリップ幅を包装袋ａの袋幅に適合するように調整する。
【００３８】
袋開口工程では、グリップ幅調整装置１Ａまたはグリップ幅調整装置１Ｂの第１グリップｇ１および第２グリップｇ２により支持された包装袋ａは、袋開口手段の吸盤によって表裏面側からそれぞれ吸引され、表裏に対向して配された吸盤が離間して袋口が開口される。この袋開口工程では、包装袋ａの表裏面側からそれぞれ吸盤によって引っ張られて袋口が開口する際に、図８に示すように、その吸盤（図示しない）による引張動作に追随させて袋サイズに応じた最適な幅にグリップ幅を狭くすることが行われ、これにより包装袋ａが表裏面側に無理に引っ張られて損傷することが抑制される。
【００３９】
充填工程では、グリップ幅調整装置１Ａまたはグリップ幅調整装置１Ｂの第１グリップｇ１および第２グリップｇ２により支持されると共に、吸盤により袋口が開口された包装袋ａ内に、充填手段１０の漏斗１１の放出口が挿入され、所定量の小麦粉等が充填される。ついで、充填終了後に漏斗１１が包装袋ａから抜去されて一連の充填動作が終了する。この充填工程では、図８に示すように、吸盤により開口された袋口内に、漏斗１１を挿入しやすくするために袋サイズに応じた最適な幅にグリップ幅を調整する。
【００４０】
底振動工程では、底上げ装置の作動により包装袋ａの底部を押し上げ、もしくは底部に振動が付与される。この底振動工程では、グリップ幅を微妙に変動させることにより被包装物に振動を与えて包装袋内に被包装物を沈ませるが、このグリップ幅の微妙な変動は、往復動部４を位置制御モーター７で微妙に往復動させることにより実現できる。また、グリップ幅の変動に際しては、位置制御モーター７の制御により、速度制御も可能で振動の周期、振幅、タイミング等も自在に設定することができる。
【００４１】
移送工程では、グリップ幅調整装置１Ａまたはグリップ幅調整装置１Ｂの第１グリップｇ１および第２グリップｇ２により支持された包装袋ａを移送手段９により、充填位置（給袋側位置）からシール位置（排出側位置）へ移送する。この移送工程に際しては、図１０に示すように、袋口の開口が大き過ぎると周囲の装置の配置が制限され、逆に袋口の開口が小さ過ぎると被包装物が溢れてしまうため、グリップ幅を最適な幅に調整する。
【００４２】
シール工程では、シール手段１２によって包装袋ａの袋口下方部位にヒートシールが施されて包装袋ａが封止される。なお、シール工程中には、底上げ装置２２の作動により包装袋ａの底部を押し上げて重量の一部を支承させる。シール工程では、図１１に示すように、グリップ幅を拡げることで袋口を閉じるが、被包装物が充填されるとその重みで包装袋が重力方向に引っ張られるため、給袋時のグリップ幅で包装袋を把持しても縦縞が形成されてシール不良を起こすことがあり、グリップ幅を拡げすぎると強すぎて横縞が形成され開口端が倒れ込みシール不良を起こす。そのため、シール時のクリップ幅は、包装袋の包材やサイズ、被包装物の重量や形状等によって極めて微妙な調整が行われる。また、上記しわ伸ばしに際しては、トルク制御も可能であるため、しわ伸ばしの力を調整することで可能となる。
【００４３】
排出工程では、ヒートシール処理後、グリップ幅調整装置１Ａまたはグリップ幅調整装置１Ｂの第１グリップｇ１および第２グリップｇ２から包装袋ａが解放されて排出手段（ベルトコンベア）２０上に落下させ機外に排出する。
【００４４】
上記のように、本発明のグリップ幅調整装置およびそれを備えた包装機では、位置制御モーターを用いることでグリップ幅の制御が自在となり、製品登録（包装袋毎の登録）によって各工程毎に異なるグリップ幅（従来は袋開口・充填・移送工程では同一のグリップ幅に設定していた。）の調整を一括登録し、さらに、タッチパネル操作でグリップ制御を一括自動切り替えすることで、グリップ幅の調整作業を削減でき、生産性や稼働率を向上させることができる。また、クリップ幅の制御が一括切り替えできることで、熟練者でなくてもミスなく確実なグリップ制御を行うことができる。さらに、近年の多品種少量生産に対して効率的に対応することができる包装機となる。
【符号の説明】
【００４５】
Ｐ          包装機
１          グリップ幅調整装置
ｇ１，ｇ２  グリップ
２          ベース
３ａ，３ｂ  グリップホルダー
４          往復動部
５          駆動機構
６          減速機構
７          位置制御モーター
８          給袋装置
９          移送手段
１０        充填手段
１１        漏斗
１２        シール手段
１３        ストッカー
１４        機台
１５        架台
１６        ベルトコンベア
１８        袋供給部
１９        回転軸
２０        排出手段
２１      カバー部材
２２      底上げ装置
【図１】
2015196537.tif 000003
【図２】
2015196537.tif 000004
【図３】
2015196537.tif 000005
【図４】
2015196537.tif 000006
【図５】
2015196537.tif 000007
【図６】
2015196537.tif 000008
【図７】
2015196537.tif 000009
【図８】
2015196537.tif 000010
【図９】
2015196537.tif 000011
【図１０】
2015196537.tif 000012
【図１１】
2015196537.tif 000013
【図１２】
2015196537.tif 000014